(57)【特許請求の範囲】
【請求項１】
間隔をおいて互いに対向している多角形状の第１の主壁部及び第２の主壁部と、前記第１の主壁部と前記第２の主壁部との間に配されており、前記第１及び第２の主壁部と共に発光体が封入される内部空間を区画形成している側壁部と、
を備え、
前記側壁部は、
前記第１及び第２の主壁部の一の辺に沿って配されており、幅方向の一部において長さ方向の一方側端部から他方側端部にまで至るように前記第１及び第２の主壁部のそれぞれと融着されている第１の側壁部と、
前記第１及び第２の主壁部の前記一の辺に隣接した他の辺に沿い、且つ一方の端部が、前記第１の側壁部との間で間隔を設けて前記第１の側壁部に臨むように配されており、幅方向の一部において長さ方向の一方側端部から他方側端部にまで至るように前記第１及び第２の主壁部のそれぞれと融着されている第２の側壁部と、
前記第２の側壁部の一方の端部と前記第１の側壁部とに接続されていると共に、前記第１及び第２の主壁部のそれぞれと融着されており、前記第２の側壁部よりも幅方向寸法が小さな接続部と、
を有する、発光デバイス用セル。
【請求項２】
前記第２の側壁部の一方の端部と前記第１の側壁部との間の間隔が０．１〜１．０ｍｍである、請求項１に記載の発光デバイス用セル。
【請求項３】
前記側壁部は、ガラスからなる、請求項１または２に記載の発光デバイス用セル。
【請求項４】
前記接続部は、前記第２の側壁部の一方の端部の幅方向における外側部分と前記第１の側壁部とに接続されており、全体が前記第１及び第２の主壁部のそれぞれに融着されている、請求項１〜３のいずれか一項に記載の発光デバイス用セル。
【請求項５】
前記請求項１〜４のいずれか一項に記載の発光デバイス用セルと、
前記内部空間内に封入された発光体と、
を備える、発光デバイス。
【請求項６】
前記発光体は、無機蛍光体からなる、請求項５に記載の発光デバイス。
【請求項７】
前記無機蛍光体は、量子ドットからなる、請求項６に記載の発光デバイス。
【請求項８】
第１のガラス板と、前記第１のガラス板に間隔をおいて対向した第２のガラス板と、前記第１及び第２のガラス板の間において、前記第１及び第２のガラス板の複数の辺のそれぞれに沿って配された複数のガラスリボンとを備える積層体であって、前記複数のガラスリボンは、前記第１及び第２のガラス板の第１の辺に沿って配された第１のガラスリボンと、前記第１及び第２のガラス板の前記第１の辺に隣接した第２の辺に沿って配された第２のガラスリボンとを含み、前記第２のガラスリボンの前記第１の辺側の端部が、前記第２の辺と前記第１のガラスリボンとの間に介在し、且つ前記第１のガラスリボンとの間で間隔を設けて配された積層体を作製する工程と、
レーザー光を、前記積層体の複数の辺のそれぞれに沿って、当該辺の一方側端部から他方側端部に至るまで走査することにより前記第１及び第２のガラス板のそれぞれと前記複数のガラスリボンとを融着させる融着工程と、
を備え、
前記融着工程において、前記第１の辺に沿った前記レーザー光の走査を、前記第２の辺とは反対側から前記第２の辺側に向かって行う、発光デバイス用セルの製造方法。
【請求項９】
前記第２のガラスリボンの前記第１の辺側の端部と前記第１のガラスリボンとの間隔が、０．１ｍｍ〜１．０ｍｍである、請求項８に記載の発光デバイス用セルの製造方法。
【発明の詳細な説明】
【技術分野】
【０００１】
本発明は、発光デバイス用セル、発光デバイス及び発光デバイス用セルの製造方法に関する。
【背景技術】
【０００２】
従来、量子ドットなどの発光体を用いた発光デバイスが知られている（例えば特許文献１を参照）。このような発光デバイスでは、通常、発光体は、セル内に封入される。
【先行技術文献】
【特許文献】
【０００３】
【特許文献１】特表２０１０−５３３９７６号公報
【発明の概要】
【発明が解決しようとする課題】
【０００４】
発光デバイスの用途によっては、発光デバイスの使用時などにセルに大きな外力が加わる場合がある。発光デバイスに大きな外力が加わると、セルが湾曲する場合がある。このため、発光デバイス用のセルには、湾曲した際においても破損しにくいことが求められている。【０００５】
本発明は、変形した際にも破損しにくい発光デバイス用セルを提供することを主な目的とする。
【課題を解決するための手段】
【０００６】
本発明に係る発光デバイス用セルは、第１の主壁部及び第２の主壁部を備える。第１の主壁部と第２の主壁部とは、間隔をおいて互いに対向している。第１の主壁部及び第２の主壁部は、多角形状を有する。第１の主壁部と第２の主壁部との間には側壁部が配されている。側壁部は、第１の主壁部と第２の主壁部と共に発光体が封入される内部空間を区画形成している。側壁部は、第１の側壁部と第２の側壁部と接続部とを有する。第１の側壁部は、第１及び第２の主壁部の一の辺に沿って配されている。第１の側壁部は、幅方向の一部において長さ方向の一方側端部から他方側端部にまで至るように第１及び第２の主壁部のそれぞれと融着されている。第２の側壁部は、第１及び第２の主壁部の一の辺に隣接した他の辺に沿って配されている。第２の側壁部は、一方の端部が第１の側壁部に臨むように配されている。第２の側壁部は、幅方向の一部において長さ方向の一方側端部から他方側端部にまで至るように第１及び第２の主壁部のそれぞれと融着されている。接続部は、第２の側壁部の一方の端部と第１の側壁部とに接続されている。接続部は、第１及び第２の主壁部のそれぞれと融着されている。接続部は、第２の側壁部よりも幅方向寸法が小さい。【０００７】
本発明に係る発光デバイス用セルにおいて、第２の側壁部の一方の端部と第１の側壁部との間の間隔は、０．１〜１．０ｍｍであってもよい。【０００８】
本発明に係る発光デバイス用セルにおいて、側壁部は、ガラスからなるものであってもよい。【０００９】
本発明に係る発光デバイス用セルにおいて、接続部は、第２の側壁部の一方の端部の幅方向における外側部分と第１の側壁部とに接続していてもよい。さらに、接続部は、全体が第１及び第２の主壁部のそれぞれに融着されていてもよい。【００１０】
本発明に係る発光デバイスは、発光デバイス用セルと、内部空間内に封入された発光体とを備える。【００１１】
本発明に係る発光デバイスにおいて、発光体は、無機蛍光体からなるものであってもよい。【００１２】
本発明に係る発光デバイスにおいて、無機蛍光体は、量子ドットからなるものであってもよい。【００１３】
本発明の発光デバイス用セルの製造方法では、第１のガラス板と、第１のガラス板に間隔をおいて対向した第２のガラス板と、第１及び第２のガラス板の間において、第１及び第２のガラス板の複数の辺のそれぞれに沿って配された複数のガラスリボンとを備える積層体であって、複数のガラスリボンは、第１及び第２のガラス板の第１の辺に沿って配された第１のガラスリボンと、第１及び第２のガラス板の第１の辺に隣接した第２の辺に沿って配された第２のガラスリボンとを含み、第２のガラスリボンの第１の辺側の端部が、第２の辺と第１のガラスリボンとの間に介在している積層体を作製する。レーザー光を、積層体の複数の辺のそれぞれに沿って、当該辺の一方側端部から他方側端部に至るまで走査することにより第１及び第２のガラス板のそれぞれと複数のガラスリボンとを融着させる融着工程を行う。融着工程において、第１の辺に沿ったレーザー光の走査を、第２の辺とは反対側から第２の辺側に向かって行う。【００１４】
本発明の発光デバイス用セルの製造方法において、第２のガラスリボンの第１の辺側の端部と第１のガラスリボンとの間隔は、０．１ｍｍ〜１．０ｍｍであることが好ましい。
【発明の効果】
【００１５】
本発明によれば、変形した際にも破損しにくい発光デバイス用セル及び発光デバイスを提供することできる。
【図面の簡単な説明】
【００１６】
【図１】図１は、第１の実施形態に係る発光デバイスの略図的斜視図である。
【図２】図２は、第１の実施形態に係る発光デバイスの略図的平面図である。
【図３】図３は、図２の線ＩＩＩ−ＩＩＩにおける略図的断面図である。
【図４】図４は、図２の線ＩＶ−ＩＶにおける略図的断面図である。
【図５】図５は、発光デバイスがｘ方向に沿って湾曲した際の、図４のＶ部分を拡大した略図的断面図である。
【図６】図６は、本発明の一実施形態に係る発光デバイスの製造方法を説明するための略図的平面図である。
【図７】図７は、本発明の一実施形態に係る発光デバイスの製造方法を説明するための略図的平面図である。
【図８】図８は、図７の線ＶＩＩ−ＶＩＩにおける略図的断面図である。
【図９】図９は、本発明の一実施形態に係る発光デバイスの製造方法を説明するための略図的断面図である。
【図１０】図１０は、第１の参考例を説明するための略図的断面図である。
【図１１】図１１は、第２の参考例を説明するための略図的断面図である。
【図１２】図１２は、第３の参考例を説明するための略図的断面図である。
【図１３】図１３は、第２の実施形態に係る発光デバイスの略図的平面図である。
【発明を実施するための形態】
【００１７】
以下、本発明を実施した好ましい形態の一例について説明する。但し、下記の実施形態は、単なる例示である。本発明は、下記の実施形態に何ら限定されない。
【００１８】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１９】
（第１の実施形態）
図１は、第１の実施形態に係る発光デバイスの略図的斜視図である。図２は、第１の実施形態に係る発光デバイスの略図的平面図である。図３は、図２の線ＩＩＩ−ＩＩＩにおける略図的断面図である。図４は、図２の線ＩＶ−ＩＶにおける略図的断面図である。図５は、発光デバイスがｘ方向に沿って湾曲した際の、図４のＶ部分を拡大した略図的断面図である。図１〜５を参照しながら、本実施形態に係る発光デバイス１の構成について説明する。なお、図２及び後述する図１３において、融着部１４ａ１，１４ｂ１，１４ｃ１，１４ｄ１に、ハッチングを附しているが、ハッチングが附された部分は、断面を表していない。
【００２０】
発光デバイス１は、励起光が入射したときに、励起光とは異なる波長の光を出射するデバイスである。発光デバイス１は、励起光の一部を通過させ、励起光と励起光の照射により生じた光との混合光を出射するものであってもよい。
【００２１】
発光デバイス１は、セル１０を有する。図２に示すように、セル１０は、内部空間１０ａを有する。内部空間１０ａの厚みは、例えば５〜５００μｍ程度であり、１０〜１００μｍ程度であることが好ましい。
【００２２】
内部空間１０ａ内には、発光体が封入されている。具体的には、内部空間１０ａ内には、分散媒と、分散媒中に分散している発光体とを備える発光部材１１が封入されている。分散媒は、発光体を好適に分散できるものである限りにおいて特に限定されない。分散媒は液体であってもよいし、樹脂、ガラスなどであってもよい。
【００２３】
発光体の種類は特に限定されない。発光体としては、例えば無機蛍光体、有機蛍光体などの蛍光体が挙げられる。これらの中でも無機蛍光体が好ましい。
【００２４】
波長３００〜４４０ｎｍの紫外〜近紫外の励起光を照射すると青色の可視光（波長４４０〜４８０ｎｍの蛍光）を発する無機蛍光体の具体例としては、Ｓｒ５（ＰＯ４）３Ｃｌ：Ｅｕ２＋、（Ｓｒ，Ｂａ）ＭｇＡｌ１０Ｏ１７：Ｅｕ２＋などが挙げられる。波長３００〜４４０ｎｍの紫外〜近紫外の励起光を照射すると緑色の可視光（波長が５００ｎｍ〜５４０ｎｍの蛍光）を発する無機蛍光体の具体例としては、ＳｒＡｌ２Ｏ４：Ｅｕ２＋、ＳｒＧａ２Ｓ４：Ｅｕ２＋などが挙げられる。波長４４０〜４８０ｎｍの青色の励起光を照射すると緑色の可視光（波長が５００ｎｍ〜５４０ｎｍの蛍光）を発する無機蛍光体の具体例としては、ＳｒＡｌ２Ｏ４：Ｅｕ２＋、ＳｒＧａ２Ｓ４：Ｅｕ２＋などが挙げられる。波長３００〜４４０ｎｍの紫外〜近紫外の励起光を照射すると黄色の可視光（波長が５４０ｎｍ〜５９５ｎｍの蛍光）を発する無機蛍光体の具体例としては、ＺｎＳ：Ｅｕ２＋などが挙げられる。波長４４０〜４８０ｎｍの青色の励起光を照射すると黄色の可視光（波長が５４０ｎｍ〜５９５ｎｍの蛍光）を発する無機蛍光体の具体例としては、Ｙ３（Ａｌ，Ｇｄ）５Ｏ１２：Ｃｅ２＋などが挙げられる。波長３００〜４４０ｎｍの紫外〜近紫外の励起光を照射すると赤色の可視光（波長が６００ｎｍ〜７００ｎｍの蛍光）を発する無機蛍光体の具体例としては、Ｇｄ３Ｇａ４Ｏ１２：Ｃｒ３＋、ＣａＧａ２Ｓ４：Ｍｎ２＋などが挙げられる。波長４４０〜４８０ｎｍの青色の励起光を照射すると赤色の可視光（波長が６００ｎｍ〜７００ｎｍの蛍光）を発する無機蛍光体の具体例としては、Ｍｇ２ＴｉＯ４：Ｍｎ４＋、Ｋ２ＳｉＦ６：Ｍｎ４＋などが挙げられる。なお、無機蛍光体は、粒子径が５μｍ〜５０μｍ程度のものを用いることができる。
【００２５】
無機蛍光体は、量子ドットであってもよい。量子ドットは、励起光が入射したときに、励起光とは異なる波長の光を出射するものである。量子ドットから出射される光の波長は、量子ドットの粒子径に依存する。すなわち、量子ドットの粒子径を変化させることにより、得られる光の波長を調整することができる。このため、量子ドットの粒子径は、得ようとする光の波長に応じた粒子径とされている。
【００２６】
量子ドットとしては、例えば、粒子径が２ｎｍ〜１０ｎｍ程度のものを用いることができる。例えば、波長３００ｎｍ〜４４０ｎｍの紫外〜近紫外の励起光を照射すると青色の可視光（波長４００〜４４０ｎｍの蛍光）を発する量子ドットの具体例としては、粒子径が２．０ｎｍ〜３．０ｎｍ程度のＣｄＳｅの微結晶などが挙げられる。波長３００〜４４０ｎｍの紫外〜近紫外の励起光や波長４４０ｎｍ〜４８０ｎｍの青色の励起光を照射すると緑色の可視光（波長が５００ｎｍ〜５４０ｎｍの蛍光）を発する量子ドットの具体例としては、粒子径が３．０ｎｍ〜３．３ｎｍ程度のＣｄＳｅの微結晶などが挙げられる。波長３００ｎｍ〜４４０ｎｍの紫外〜近紫外の励起光や波長４４０ｎｍ〜４８０ｎｍの青色の励起光を照射すると黄色の可視光（波長が５４０ｎｍ〜５９５ｎｍの蛍光）を発する量子ドットの具体例としては、粒子径が３．３ｎｍ〜４．５ｎｍ程度のＣｄＳｅの微結晶などが挙げられる。波長３００ｎｍ〜４４０ｎｍの紫外〜近紫外の励起光や波長４４０ｎｍ〜４８０ｎｍの青色の励起光を照射すると赤色の可視光（波長が６００ｎｍ〜７００ｎｍの蛍光）を発する量子ドットの具体例としては、粒子径が４．５ｎｍ〜１０ｎｍ程度のＣｄＳｅの微結晶などが挙げられる。
【００２７】
内部空間１０ａ内には、励起光の波長域や発光させたい色に合わせて、１種類または複数種類の発光体が封入されている。
【００２８】
図３及び図４に示すように、セル１０は、第１の主壁部１２と第２の主壁部１３とを備える。第１の主壁部１２と第２の主壁部１３とは、ｘ、ｙ方向において、間隔をおいて互いに対向している。第１の主壁部１２と第２の主壁部１３とは平行である。第１及び第２の主壁部１２，１３のそれぞれは、多角形状を有する。具体的には、第１及び第２の主壁部１２，１３のそれぞれは、四角形状を有する。
【００２９】
第１及び第２の主壁部１２，１３の両方が励起光及び発光体から発する光を透過させるものである必要は必ずしもない。しかしながら、第１及び第２の主壁部１２，１３の少なくとも一方は、励起光を透過させるものである必要がある。また、第１及び第２の主壁部１２，１３の少なくとも一方は、発光体から発する光を透過させるものである必要がある。例えば、第１の主壁部１２が励起光を透過させるものであり、第２の主壁部１３が発光体から発する光を透過させるものであってもよい。
【００３０】
第１及び第２の主壁部１２，１３を構成する材料としては、例えばガラス、樹脂、セラミックスなどが挙げられる。ガラスは、光の透過性が高く、加工性、耐候性にも優れている。このため、第１及び第２の主壁部１２，１３は、ガラスからなることが好ましい。
【００３１】
第１及び第２の主壁部１２，１３のそれぞれの厚みは特に限定されないが、例えば０．０２ｍｍ〜１０ｍｍ程度とすることができる。
【００３２】
第１の主壁部１２と第２の主壁部１３との間には、側壁部１４が配されている。この側壁部１４と第１及び第２の主壁部１２，１３とにより、発光部材１１が封入される内部空間１０ａが区画形成されている。
【００３３】
側壁部１４を構成する材料としては、例えばガラス、樹脂、セラミックスなどが挙げられる。光の透過性、加工性、耐候性等の観点から、側壁部１４はガラスからなることが好ましい。
【００３４】
側壁部１４は、４つの側壁部１４ａ，１４ｂ，１４ｃ，１４ｄを含む。
【００３５】
側壁部１４ａは、第１及び第２の主壁部１２，１３の一の辺１２ａ，１３ａに沿って配されている。側壁部１４ａは、ｙ１側端部１４ａ３が第１及び第２の主壁部１２，１３のｙ１側端面に至っている一方、ｙ２側端部１４ａ２はｙ２側端面には至っていない。側壁部１４ａのｙ２側端部１４ａ２と第１及び第２の主壁部１２，１３のｙ２側端面との間には側壁部１４ｄが位置している。側壁部１４ａのｙ２側端部１４ａ２と側壁部１４ｄとの間には間隔Ｗ３が設けられている。
【００３６】
側壁部１４ｂは、第１及び第２の主壁部１２，１３の辺１２ａ，１３ａに隣接した辺１２ｂ，１３ｂに沿って配されている。側壁部１４ｂは、ｘ１側端部１４ｂ３が第１及び第２の主壁部１２，１３のｘ１側端面に至っている一方、ｘ２側端部１４ｂ２はｘ２側端面には至っていない。側壁部１４ｂのｘ２側端部１４ｂ２と第１及び第２の主壁部１２，１３のｘ２側端面との間には側壁部１４ａが位置している。側壁部１４ｂのｘ２側端部１４ｂ２と側壁部１４ａとの間には間隔Ｗ１が設けられている。
【００３７】
側壁部１４ｃは、第１及び第２の主壁部１２，１３の辺１２ｂ、１３ｂに隣接した辺１２ｃ，１３ｃに沿って配されている。側壁部１４ｃは、ｙ２側端部１４ｃ３が第１及び第２の主壁部１２，１３のｙ２側端面に至っている一方、ｙ１側端部１４ｃ２はｙ１側端面には至っていない。側壁部１４ｃのｙ１側端部１４ｃ２と第１及び第２の主壁部１２，１３のｙ１側端面との間には、側壁部１４ｂが位置している。側壁部１４ｃのｙ１側端部１４ｃ２と側壁部１４ｂとの間には間隔Ｗ２が設けられている。
【００３８】
側壁部１４ｄは、第１及び第２の主壁部１２，１３の辺１２ｃ、１３ｃに隣接した辺１２ｄ，１３ｄに沿って配されている。側壁部１４ｄは、ｘ２側端部１４ｄ３が第１及び第２の主壁部１２，１３のｘ２側端面に至っている一方、ｘ１側端部１４ｄ２はｘ１側端面には至っていない。側壁部１４ｄのｘ１側端部１４ｄ２と第１及び第２の主壁部１２，１３のｘ１側端面との間には、側壁部１４ｃが位置している。側壁部１４ｄのｘ１側端部１４ｄ２と側壁部１４ｃとの間には間隔Ｗ４が設けられている。
【００３９】
間隔Ｗ１〜Ｗ４のそれぞれは、０．１〜１．０ｍｍであることが好ましく、０．１〜０．５ｍｍであることがより好ましい。間隔Ｗ１〜Ｗ４は、互いに等しくてもよいし、異なっていてもよい。
【００４０】
側壁部１４ｂは、一方の端部１４ｂ２が側壁部１４ａに臨むように配されている。より詳細には、側壁部１４ｂは、一方の端部１４ｂ２が側壁部１４ａの端部１４ａ３に対向するように配されている。側壁部１４ｃは、一方の端部１４ｃ２が側壁部１４ｂの端部１４ｂ３に臨むように配されている。側壁部１４ｄは、一方の端部１４ｄ２が側壁部１４ｃの端部１４ｃ３に臨むように配されている。
【００４１】
側壁部１４ａは、融着部１４ａ１を有する。融着部１４ａ１は、側壁部１４ａの幅方向であるｘ方向の一部に設けられている。融着部１４ａ１は、側壁部１４ａの長さ方向であるｙ方向の一方側端部から他方側端部に至るように設けられている。融着部１４ａ１の全体が第１及び第２の主壁部１２，１３のそれぞれに融着されている。側壁部１４ａの融着部１４ａ１以外の部分は、第１及び第２の主壁部１２，１３のそれぞれと融着されていない。すなわち、側壁部１４ａは、側壁部１４ａの幅方向であるｘ方向の一部において第１及び第２の主壁部１２，１３のそれぞれと融着されている。
【００４２】
側壁部１４ｂは、融着部１４ｂ１を有する。融着部１４ｂ１は、側壁部１４ｂの幅方向であるｙ方向の一部に設けられている。融着部１４ｂ１は、側壁部１４ｂの長さ方向であるｘ方向の一方側端部から他方側端部に至るように設けられている。融着部１４ｂ１の全体が第１及び第２の主壁部１２，１３に融着されている。側壁部１４ｂの融着部１４ｂ１以外の部分は、第１及び第２の主壁部１２，１３のそれぞれと融着されていない。すなわち、側壁部１４ｂは、側壁部１４ｂの幅方向であるｙ方向の一部において第１及び第２の主壁部１２，１３とのそれぞれ融着されている。
【００４３】
側壁部１４ｃは、融着部１４ｃ１を有する。融着部１４ｃ１は、側壁部１４ｃの幅方向であるｘ方向の一部に設けられている。融着部１４ｃ１は、側壁部１４ｃの長さ方向であるｙ方向の一方側端部から他方側端部に至るように設けられている。融着部１４ｃ１の全体が第１及び第２の主壁部１２，１３のそれぞれに融着されている。側壁部１４ｃの融着部１４ｃ１以外の部分は、第１及び第２の主壁部１２，１３のそれぞれと融着されていない。すなわち、側壁部１４ｃは、側壁部１４ｃの幅方向であるｘ方向の一部において第１及び第２の主壁部１２，１３のそれぞれと融着されている。
【００４４】
側壁部１４ｄは、融着部１４ｄ１を有する。融着部１４ｄ１は、側壁部１４ａの幅方向であるｙ方向の一部に設けられている。融着部１４ｄ１は、側壁部１４ｄの長さ方向であるｘ方向の一方側端部から他方側端部に至るように設けられている。融着部１４ｄ１の全体が第１及び第２の主壁部１２，１３のそれぞれに融着されている。側壁部１４ｄの融着部１４ｄ１以外の部分は、第１及び第２の主壁部１２，１３のそれぞれと融着されていない。すなわち、側壁部１４ｄは、側壁部１４ｄの幅方向であるｙ方向の一部において第１及び第２の主壁部１２，１３とのそれぞれ融着されている。
【００４５】
側壁部１４ａのｙ２側端部１４ａ２と側壁部１４ｄとは、例えば、レーザー等の加熱により互いに融着し接続部１６ａが形成されることによって接続されている。接続部１６ａの全体は、第１及び第２の主壁部１２，１３のそれぞれに融着されている。接続部１６ａの幅方向（ｘ方向）における寸法は、側壁部１４ａの幅方向（ｘ方向）における寸法よりも小さい。接続部１６ａの幅方向（ｘ方向）における寸法は、側壁部１４ａの幅方向（ｘ方向）における寸法の０．５倍以下であることが好ましく、０．２倍以下であることがより好ましい。具体的には、接続部１６ａは、側壁部１４ａのｙ２側端部１４ａ２の幅方向における外側部分と側壁部１４ｄとを接続している。側壁部１４ａのｙ２側端部１４ａ２の幅方向における内側部分と側壁部１４ｄとは接続部１６ａによって接続されていない。
【００４６】
側壁部１４ｂのｘ２側端部１４ｂ２と側壁部１４ａとは、接続部１６ｂによって接続されている。接続部１６ｂの全体は、第１及び第２の主壁部１２，１３のそれぞれに融着されている。接続部１６ｂの幅方向（ｙ方向）における寸法は、側壁部１４ｂの幅方向（ｙ方向）における寸法よりも小さい。接続部１６ｂの幅方向（ｙ方向）における寸法は、側壁部１４ｂの幅方向（ｙ方向）における寸法の０．５倍以下であることが好ましく、０．２倍以下であることがより好ましい。具体的には、接続部１６ｂは、側壁部１４ｂのｘ２側端部１４ｂ２の幅方向における外側部分と側壁部１４ａとを接続している。側壁部１４ｂのｘ２側端部１４ｂ２の幅方向における内側部分と側壁部１４ａとは接続部１６ｂによって接続されていない。
【００４７】
側壁部１４ｃのｙ１側端部１４ｃ２と側壁部１４ｂとは、接続部１６ｃによって接続されている。接続部１６ｃの全体は、第１及び第２の主壁部１２，１３のそれぞれに融着されている。接続部１６ｃの幅方向（ｘ方向）における寸法は、側壁部１４ｃの幅方向（ｘ方向）における寸法よりも小さい。接続部１６ｃの幅方向（ｘ方向）における寸法は、側壁部１４ｃの幅方向（ｘ方向）における寸法の０．５倍以下であることが好ましく、０．２倍以下であることがより好ましい。具体的には、接続部１６ｃは、側壁部１４ｃのｙ１側端部１４ｃ２の幅方向における外側部分と側壁部１４ｂとを接続している。側壁部１４ｃのｙ１側端部１４ｃ２の幅方向における内側部分と側壁部１４ｂとは接続部１６ｃによって接続されていない。
【００４８】
側壁部１４ｄのｘ１側端部１４ｄ２と側壁部１４ｃとの間には、内部空間１０ａに連通する開口１０ｂを構成している。この開口１０ｂは、発光部材１１を内部空間１０ａ内に注入するためのものである。開口１０ｂは、封止部材１５によって封止されている。
【００４９】
具体的には、本実施形態では、セル１０の第１の主壁部１２及び第２の主壁部１３のそれぞれは、ガラス板により構成されている。側壁部１４ａ〜１４ｄのそれぞれは、ガラスリボンにより構成されている。
【００５０】
ところで、発光デバイス１のセル１０には、曲げ応力が加わることがある。図５に示すように、セル１０に曲げ応力が加わり、セル１０が湾曲すると、例えば、端部１４ｂ２と側壁部１４ａとの最短距離が短くなる場合がある。ここで、端部１４ｂ２と側壁部１４ａとが接触している場合は、第１及び第２の主壁部１２，１３に融着していない、端部１４ｂ２の融着部１４ｂ１以外の部分と、側壁部１４ａの融着部１４ａ１以外の部分とが接触し、破損してしまう虞がある。
【００５１】
これに対して、発光デバイス１では、端部１４ｂ２，１４ｃ２，１４ｄ２，１４ａ２と側壁部１４ａ、１４ｂ、１４ｃ、１４ｄとの間に間隔が設けられている。このため、セル１０が湾曲したとしても、端部１４ｂ２，１４ｃ２，１４ｄ２，１４ａ２と側壁部１４ａ、１４ｂ、１４ｃ、１４ｄとが接触しにくい。従って、側壁部１４ａ〜１４ｄが損傷することを抑制することができる。
【００５２】
側壁部１４ａ〜１４ｄがガラスからなる場合は、側壁部１４ａ〜１４ｄが接触により破損しやすいため、本実施形態の側壁部１４ａ〜１４ｄの破損を抑制できる技術は、側壁部１４ａ〜１４ｄがガラスからなる場合に特に有効である。
【００５３】
次に、本実施形態に係る発光デバイス１の製造方法の一例について説明する。但し、以下の製造方法は、単なる一例であって、本発明に係る発光デバイスの製造方法は、以下の製造方法に何ら限定されない。
【００５４】
図６は、本実施形態に係る発光デバイスの製造方法を説明するための略図的平面図である。図７は、本実施形態に係る発光デバイスの製造方法を説明するための略図的平面図である。図８は、図７の線ＶＩＩ−ＶＩＩにおける略図的断面図である。図９は、本実施形態に係る発光デバイスの製造方法を説明するための略図的断面図である。
【００５５】
次に、図６〜図９を参照しながら、本実施形態に係る発光デバイス１の製造方法の一例について説明する。但し、以下の製造方法は、単なる一例であって、本発明に係る発光デバイス１の製造方法は、以下の製造方法に何ら限定されない。
【００５６】
（発光デバイスの製造方法）
まず、主壁部１２，１３を構成するための第１及び第２のガラス板２０，２１を用意する。次に、図６に示すように、ガラス板２１の周縁部に側壁部１４ａ〜１４ｄを構成するためのガラスリボン３０ａ〜３０ｄを配置する。この際、ガラスリボン３０ａ〜３０ｄの端部３０ａ２，３０ｂ２，３０ｃ２，３０ｄ２とガラスリボン３０ｄ、３０ａ、３０ｂ、３０ｃとの間には間隔Ｗ３０，Ｗ１０，Ｗ２０，Ｗ４０それぞれを設けておく。
【００５７】
次に、図７，図８に示すように、第２のガラス板２１の上に、ガラスリボン３０ａ，３０ｂ，３０ｃ，３０ｄを介在させて、第１ガラス板２０を積層する。これにより、第２のガラス板２１と、ガラスリボン３０ａ，３０ｂ，３０ｃ，３０ｄと、第１のガラス板２０とがこの順に積層した積層体４０を得る。
【００５８】
第１のガラス板２０と第２のガラス板２１とは、間隔をおいて対向している。第１及び第２のガラス板２０，２１の間において、ガラスリボン３０ａ〜３０ｄは、第１及び第２のガラス板２０，２１の複数の辺２０ａ〜２０ｄ，２１ａ〜２１ｄのそれぞれに沿って環状に配する。具体的には、ガラスリボン３０ｂは、第１及び第２のガラス板２０，２１の辺２０ｂ，２１ｂに沿って配する。ガラスリボン３０ａは、第１及び第２のガラス板の辺２０ｂ，２１ｂに隣接した辺２０ａ，２１ａに沿って配する。ガラスリボン３０ｄは、第１及び第２のガラス板２０，２１の辺２０ａ，２１ａに隣接した辺２０ｄ，２１ｄに沿って配する。ガラスリボン３０ｃは、第１及び第２のガラス板２０，２１の辺２０ｄ，２１ｄに隣接した第２の辺２０ｃ，２１ｃに沿って配する。
【００５９】
ガラスリボン３０ａの辺２０ｂ，２１ｂ側の端部３０ａ３は、辺２０ａ，２１ａとガラスリボン３０ｂとの間に介在させる。より詳細には、ガラスリボン３０ｂの辺２０ａ，２１ａ側の端部３０ｂ２と辺２０ａ，２１ａとの間には、ガラスリボン３０ａの端部３０ａ３を配置する。この際、ガラスリボン３０ｂの端部３０ｂ２とガラスリボン３０ａとの間には、間隔Ｗ１０を設ける。
【００６０】
ガラスリボン３０ｂの辺２０ｃ，２１ｃ側の端部３０ｂ３は、辺２０ｂ，２１ｂとガラスリボン３０ｃとの間に介在させる。より詳細には、ガラスリボン３０ｃの辺２０ｂ，２１ｂ側の端部３０ｃ２と辺２０ｂ，２１ｂとの間に、ガラスリボン３０ｂの端部３０ｂ３を配置する。この際、ガラスリボン３０ｃの端部３０ｃ２とガラスリボン３０ｂとの間には間隔Ｗ２０を設ける。
【００６１】
ガラスリボン３０ｃの辺２０ｄ，２１ｄ側の端部３０ｃ３は、辺２０ｃ，２１ｃとガラスリボン３０ｄとの間に介在させる。より詳細には、ガラスリボン３０ｄの辺２０ｃ，２１ｃ側の端部３０ｄ２と辺２０ｃ，２１ｃとの間に、ガラスリボン３０ｃの端部３０ｃ３を配置する。この際、ガラスリボン３０ｄの端部３０ｄ２とガラスリボン３０ｃとの間には間隔Ｗ４０を設ける。
【００６２】
ガラスリボン３０ｄの辺２０ａ，２１ａ側の端部３０ｄ３は、辺２０ｄ，２１ｄとガラスリボン３０ａとの間に介在させる。より詳細には、ガラスリボン３０ａの辺２０ｄ，２１ｄ側の端部３０ａ２と辺２０ｄ，２１ｄとの間に、ガラスリボン３０ｄの端部３０ｄ３を配置する。この際、ガラスリボン３０ａの端部３０ａ２とガラスリボン３０ｄとの間に間隔Ｗ３０を設ける。
【００６３】
間隔Ｗ１０〜Ｗ４０のそれぞれは、０．１ｍｍ〜１．０ｍｍであることが好ましく、０．１ｍｍ〜０．５ｍｍであることがより好ましい。間隔Ｗ１０〜Ｗ４０は、互いに等しくてもよいし、互いに異なっていてもよい。
【００６４】
積層体４０において、第１及び第２のガラス板２０，２１の外側側面２０ａ３〜２０ｄ３，２１ａ３〜２１ｄ３とガラスリボン３０ａ〜３０ｄの外側側面３０ａ１〜３０ｄ１とは、それぞれ面一である。
【００６５】
次に、融着工程において、積層体４０にレーザー光５０を照射することにより、ガラスリボン３０ａ〜３０ｄとガラス板２０，２１とを融着させる。
【００６６】
レーザー光５０は、積層体４０の辺２０ａ，２１ａ、辺２０ｂ，２１ｂ、辺２０ｃ，２１ｃ、辺２０ｄ，２１ｄのそれぞれに沿って、当該辺の一方側端部２０ａ１，２１ａ１，２０ｂ１，２１ｂ１，２０ｃ１，２１ｃ１，２０ｄ１，２１ｄ１から他方側端部２０ａ２，２１ａ２，２０ｂ２，２１ｂ２，２０ｃ２，２１ｃ２，２０ｄ２，２１ｄ２にそれぞれ至るまで走査する。
【００６７】
この際、第１及び第２のガラス板２０，２１の辺２０ｃ，２１ｃに沿ったレーザー光５０の走査は、辺２０ｂ，２１ｂとは反対側であるｙ２側から辺２０ｂ，２１ｂ側であるｙ１側に向かって行う。より詳細には、図７，図９に示すように、第１及び第２のガラス板２０，２１の辺２０ｃ，２１ｃに沿ったレーザー光５０の走査は、ガラスリボン３０ｃの外側側面３０ｃ１のｙ２側端部３０ｃ３からｙ１側に向かって順に行う。これにより、ガラスリボン３０ｃのｙ１側端部３０ｃ２とガラスリボン３０ｂとのそれぞれが融解し、接続される。
【００６８】
第１及び第２のガラス板２０，２１の辺２０ｂ，２１ｂに沿ったレーザー光５０の走査は、辺２０ａ，２１ａとは反対側であるｘ１側から辺２０ａ，２１ａ側であるｘ２側に向かって行う。より詳細には、第１及び第２のガラス板２０，２１の辺２０ｂ，２１ｂに沿ったレーザー光５０の走査は、ガラスリボン３０ｂの外側側面３０ｂ１のｘ１側端部３０ｂ３からｘ２側に向かって順に行う。これにより、ガラスリボン３０ｂのｘ２側端部３０ｂ２とガラスリボン３０ａとのそれぞれが融解し、接続される。
【００６９】
第１及び第２のガラス板２０，２１の辺２０ａ，２１ａに沿ったレーザー光５０の走査は、辺２０ｄ，２１ｄとは反対側であるｙ１側から辺２０ｄ，２１ｄ側であるｙ２側に向かって行う。より詳細には、第１及び第２のガラス板２０，２１の辺２０ａ，２１ａに沿ったレーザー光５０の走査は、ガラスリボン３０ａの外側側面３０ａ１のｙ１側端部３０ａ３からｙ２側に向かって順に行う。これにより、ガラスリボン３０ａのｙ１側端部３０ａ２とガラスリボン３０ｄとのそれぞれが融解し、接続される。
【００７０】
第１及び第２のガラス板２０，２１の辺２０ｄ，２１ｄに沿ったレーザー光５０の走査は、ガラス板２０，２１の辺２０ｃ，２１ｃとは反対側であるｘ２側から辺２０ｃ，２１ｃ側であるｘ１側に向かって行う。第１及び第２のガラス板２０，２１の辺２０ｄ，２１ｄに沿ったレーザー光５０の走査は、ガラスリボン３０ｄの外側側面３０ｄ１のｘ２側端部３０ｄ３からｘ１側に向かって順に行う。積層体４０の端部３０ｄ２とガラスリボン３０ｃとの間の間隔Ｗ４０が位置する部分にはレーザー光５０を照射しない。すなわち、ガラスリボン３０ａとガラスリボン３０ｂとは互いに接続しない。これは、発光デバイス１に貫通孔１０ｂを設けるためである。
【００７１】
第１及び第２のガラス板２０，２１とガラスリボン３０ａ，３０ｂ，３０ｃ，３０ｄのそれぞれとを融着する順序は特に限定されない。例えば、以下のような順序で行うことができる。すなわち、第１及び第２のガラス板２０，２１の互いに隣り合わない辺２０ａ，２１ａと辺２０ｃ，２１ｃにおける融着を連続して行う。その次に、第１及び第２のガラス板２０，２１の互いに隣り合わない辺２０ｂ，２１ｂと辺２０ｄ，２１ｄにおける融着を連続して行う。この際、互いに隣り合わない辺２０ａ，２１ａと辺２０ｃ，２１ｃとの両方に隣り合う辺２０ｂ，２１ｂ及び辺２０ｄ，２１ｄにおける融着は、辺２０ａ，２１ａと辺２０ｃ，２１ｃを融着する際のレーザー光５０の出力の７０％程度〜９５％程度とし、複数回レーザー光５０を照射することによって行うことが好ましい。これにより、第１及び第２のガラス板２０，２１の辺２０ａ〜２０ｄ，２１ａ〜２１ｄにおけるガラス板２０，２１とガラスリボン３０ａ〜３０ｄとの融着をより均一に行うことが可能となる。
【００７２】
なお、レーザー光５０の照射は、レーザー光照射装置５１を用いて、ＣＯ２レーザーなど照射することにより行うことができる。
【００７３】
以上によりセル１０を完成させることができる。
【００７４】
次に、貫通孔１０ｂから、内部空間１０ａ内に発光体を封入する。発光体の封入方法は、特に限定されない。好ましく用いられる発光体の封入方法としては、例えば、内部空間１０ａを減圧雰囲気にした状態で、発光体が分散した液体からなる発光部材１１を内部空間１０ａに供給する方法が挙げられる。
【００７５】
最後に、貫通孔（封入孔）１０ｂを覆うように封止部材１５を配し、レーザーを照射することにより、封止部材１５をセル１０に融着させることによって、貫通孔１０ｂを塞ぐ。以上の工程により、発光デバイス１を製造することができる。
【００７６】
ところで、例えば、第１及び第２のガラス板２０，２１の辺２０ｃ，２１ｃに沿ったレーザー光５０の照射を、ｙ１側端部２０ｃ２，２１ｃ２から、ガラスリボン３０ｃのｙ１側端部３０ｃ２とガラスリボン３０ｂとの間の間隔Ｗ２０が位置する部分を経て、ｙ２側端部３０ｃ３に向かって順に行うことも考えられる。しかしながら、この場合は、レーザー光を照射した際にガラスリボンやガラス板が割れやすい。これは、レーザー光５０の照射開始後、ガラスリボンが連続しない部分（間隔Ｗ２０付近）がすぐに加熱されることになり、局所的に大きな温度差や熱膨張差が生じやすいためであると考えられる。 
【００７７】
これに対して、本実施形態の製造方法では、第１及び第２のガラス板２０，２１の辺２０ｃ，２１ｃに沿ったレーザー光５０の走査は、辺２０ｂ，２１ｂとは反対側であるｙ２側から辺２０ｂ，２１ｂ側であるｙ１側に向かって順に行う。そして、ガラスリボン３０ｃにおいて、ｙ１側端部３０ｃ２とガラスリボン３０ｂとの間の間隔Ｗ２０が位置する部分へのレーザー光５０の照射は、最後に行う。すなわち、ガラスリボンが連続しない部分（間隔Ｗ２０付近）へのレーザー光５０の照射に先立ち、第１及び第２のガラス板２０，２１の辺２０ｃ，２１ｃに沿った加熱と膨張が連続的になされる。この際、間隔Ｗ２０付近がレーザー光によって直接加熱される前に、間隔Ｗ２０付近の温度は上昇している。よって、間隔Ｗ２０付近がレーザー光によって直接加熱される際に、急激な温度差や熱膨張が生じることを抑制することができる。これは、第１及び第２のガラス板２０，２１の辺２０ａ，２１ａ、辺２０ｂ，２１ｂに沿ったレーザー光５０の照射においても同様である。従って、本実施形態に係る製造方法では、レーザー光５０を用いる積層体４０の融着工程において、ガラス板２０，２１やガラスリボン３０ａ〜３０ｄが破損し難いという優れた効果が奏される。
【００７８】
ところで、例えば、図１０に示すように、ガラスリボン３０ｃの外側側面３０ｃ１がガラス板２０，２１の外側側面２０ｃ３，２１ｃ３よりも大きく外側に位置している場合、図１１に示すように、ガラスリボン３０ｃの外側側面３０ｃ１がガラス板２０，２１の外側側面２０ｃ３，２１ｃ３よりも大きく内側に位置している場合、及び図１２に示すように、第１のガラス板２０の外側側面２０ｃ３が第２のガラス板２１の外側側面２１ｃ３よりも大きく外側に位置している場合には、突出した部分だけが過剰に加熱されやすいため、ガラス板やガラスリボンが割れやすくなる。このため、図１０に示す距離Ｗ５０は、０．３ｍｍ以下であることが好ましい。図１１に示す距離Ｗ５１は、０．３ｍｍ以下であることが好ましい。図１２に示す距離Ｗ５２は、０．３ｍｍ以下であることが好ましい。さらには、ガラス板２０の端面と、ガラス板２１の端面と、ガラスリボンの端面とが面一であることが好ましい。
【００７９】
なお、図１０〜図１２に示す参考例において、上記実施形態と実質的に同様の機能を有する部材を同様の符号で参照し、説明を省略している。
【００８０】
以下、本発明の好ましい実施形態の他の例について説明する。以下の説明において、上記第１の実施形態と実質的に共通の機能を有する部材を共通の符号で参照し、説明を省略する。
【００８１】
（第２の実施形態）
図１３は、第２の実施形態における発光デバイス２の略図的平面図である。上記第１の実施形態では、図２に示されるように、側壁部１４ｄの一方側端部１４ｄ２と側壁部１４ｃとの間に貫通孔１０ｂ及び封止部材１５が形成されている例について説明した。それに対して、本実施形態では、図１３に示されるように、主壁部１２の内面に貫通孔１０ｂが設けられている。そして、貫通孔１０ｂは、主壁部１２に融着された封止部材１５により封止されている。
【００８２】
側壁部１４ｄの一方の端部１４ｄ２と側壁部１４ｃとは、接続部１６ｄにより接続されている。このような構成を有する発光デバイスにおいても、上記第１の実施形態と同様の効果が奏される。
【００８３】
上記第１及び第２の実施形態においては、主壁部１２，１３は、それぞれ四角形状である場合について説明した。本発明は、これに限定されない。本発明において、主壁部１２，１３は、それぞれ多角形状であればよく、例えば、三角形状、五角形状、六角形状、七角形状、八角形状等であってもよい。
【符号の説明】
【００８４】
１，２…発光デバイス
１０…セル
１０ａ…内部空間
１０ｂ…貫通孔
１１…発光部材
１２，１３…主壁部
１２ａ，１２ｂ，１２ｃ，１２ｄ…主壁部の辺
１３ａ，１３ｂ，１３ｃ，１３ｄ…主壁部の辺
１４，１４ａ，１４ｂ，１４ｃ，１４ｄ…側壁部
１４ａ１，１４ｂ１，１４ｃ１，１４ｄ１…融着部
１４ａ２，１４ｂ２，１４ｃ２，１４ｄ２…側壁部の端部
１４ａ３，１４ｂ３，１４ｃ３，１４ｄ３…側壁部の端部
１５…封止部材
１６ａ，１６ｂ，１６ｃ…接続部
２０，２１…ガラス板
２０ａ，２０ｂ，２０ｃ，２０ｄ…ガラス板の辺
２１ａ，２１ｂ，２１ｃ，２１ｄ…ガラス板の辺
２０ａ１，２０ｂ１，２０ｃ１，２０ｄ１…ガラス板の端部
２０ａ２，２０ｂ２，２０ｃ２，２０ｄ２…ガラス板の端部
２０ａ３，２０ｂ３，２０ｃ３，２０ｄ３…ガラス板の外側側面
２１ａ１，２１ｂ１，２１ｃ１，２１ｄ１…ガラス板の端部
２１ａ２，２１ｂ２，２１ｃ２，２１ｄ２…ガラス板の端部
２１ａ３，２１ｂ３，２１ｃ３，２１ｄ３…ガラス板の外側側面
３０ａ，３０ｂ，３０ｃ，３０ｄ…ガラスリボン
３０ａ１，３０ｂ１，３０ｃ１，３０ｄ１…ガラスリボンの外側側面
３０ａ２，３０ｂ２，３０ｃ２，３０ｄ２…ガラスリボンの端部
３０ａ３，３０ｂ３，３０ｃ３，３０ｄ３…ガラスリボンの端部
４０…積層体
５０…レーザー光
５１…レーザー光照射装置
Ｗ１，Ｗ２，Ｗ３，Ｗ４…間隔
Ｗ１０，Ｗ２０，Ｗ３０，Ｗ４０…間隔
Ｗ５０，Ｗ５１，Ｗ５２…距離
【図１】
0006015446.tif 000002
【図２】
0006015446.tif 000003
【図３】
0006015446.tif 000004
【図４】
0006015446.tif 000005
【図５】
0006015446.tif 000006
【図６】
0006015446.tif 000007
【図７】
0006015446.tif 000008
【図８】
0006015446.tif 000009
【図９】
0006015446.tif 000010
【図１０】
0006015446.tif 000011
【図１１】
0006015446.tif 000012
【図１２】
0006015446.tif 000013
【図１３】
0006015446.tif 000014